【手続補正書】
【提出日】平成27年2月2日(2015.2.2)
【手続補正１】
【補正対象書類名】明細書
【補正対象項目名】発明の名称
【補正方法】変更
【補正の内容】
【発明の名称】情報処理装置、情報処理システム、その制御方法およびそのプログラム
【手続補正２】
【補正対象書類名】明細書
【補正対象項目名】０００８
【補正方法】変更
【補正の内容】
【０００８】
そこで本発明は、複数のユーザ情報に対して閲覧が許可されている画面において、当該画面の表示要求のユーザ情報に対して閲覧が許可されている画像データを適切に表示させる仕組みを提供することを目的とする。
【手続補正３】
【補正対象書類名】明細書
【補正対象項目名】０００９
【補正方法】変更
【補正の内容】
【０００９】
本発明は、ユーザ情報の入力を受け付け、画像データを表示する画面であって複数のユーザ情報に対して閲覧が許可されている画像データ表示画面を表示するクライアント端末と通信可能な、前記画像データ表示画面のテンプレートを記憶する情報処理装置であって、前記画像データ表示画面において表示する画像データを登録する画像データ登録手段と、前記画像データ登録手段で登録する前記画像データと当該画像データの閲覧を許可するユーザ情報とを対応付けて複数登録する登録手段と、前記クライアント端末より前記画像データ表示画面の要求を受け付ける要求受付手段と、前記要求受付手段で受け付けた要求に応じて、前記テンプレートを用いた、前記登録手段により前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御手段とを備えることを特徴とする。
【手続補正４】
【補正対象書類名】明細書
【補正対象項目名】００１０
【補正方法】変更
【補正の内容】
【００１０】
本発明によれば、複数のユーザ情報に対して閲覧が許可されている画面において、当該画面の表示要求のユーザ情報に対して閲覧が許可されている画像データを適切に表示させる仕組みを提供することが可能となる。
【手続補正５】
【補正対象書類名】特許請求の範囲
【補正対象項目名】全文
【補正方法】変更
【補正の内容】
【特許請求の範囲】
【請求項１】
ユーザ情報の入力を受け付け、画像データを表示する画面であって複数のユーザ情報に対して閲覧が許可されている画像データ表示画面を表示するクライアント端末と通信可能な、前記画像データ表示画面のテンプレートを記憶する情報処理装置であって、
前記画像データ表示画面において表示する画像データを登録する画像データ登録手段と、
前記画像データ登録手段で登録する前記画像データと当該画像データの閲覧を許可するユーザ情報とを対応付けて複数登録する登録手段と、
前記クライアント端末より前記画像データ表示画面の要求を受け付ける要求受付手段と、
前記要求受付手段で受け付けた要求に応じて、前記テンプレートを用いた、前記登録手段により前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御手段と
を備えることを特徴とする情報処理装置。
【請求項２】
前記登録手段は、前記画像データ登録手段により画像データを登録するための画面である画像データ登録画面において、いずれのユーザ情報に対して前記画像データの閲覧を許可するかの指定を受け付けることで、前記画像データと当該画像データの閲覧を許可するユーザ情報とを対応付けて登録することを特徴とする請求項１に記載の情報処理装置。
【請求項３】
前記画像データ登録手段で登録される画像データと、前記画像データの被写体の情報とを対応付けて記憶する被写体登録手段と、
を備え、
前記登録手段は、前記被写体登録手段で登録された画像データの被写体と当該被写体の画像データの閲覧を許可するユーザ情報とを対応付けて複数登録することで、前記画像データと当該画像データの閲覧を許可するユーザ情報とを対応付けて複数登録し、
前記表示制御手段は、前記テンプレートを用いた、前記登録手段により前記要求受付手段で受け付けた要求のユーザ情報と対応付けて登録されている、当該ユーザ情報に対して閲覧が許可されている被写体の画像データを含む画像データ表示画面を前記クライアント端末において表示させるべく制御することを特徴とする請求項１又は２に記載の情報処理装置。
【請求項４】
前記情報処理装置は、前記画像データの日時情報を記憶し、
前記テンプレートは、前記ユーザ情報に対して閲覧が許可されている画像データを、前記日時情報の示す日ごとに表示するカレンダー画面であって、
前記表示制御手段は、前記要求受付手段で受け付けた要求のユーザ情報と対応付けて登録されている、当該ユーザ情報に対して閲覧が許可されている画像データを含むカレンダー画面を前記クライアント端末において表示させるべく制御することを特徴とする請求項１乃至３のいずれか１項に記載の情報処理装置。
【請求項５】
前記情報処理装置はウェブサイトサーバであって、
前記表示制御手段は、前記画像データ表示画面を前記クライアント端末において表示させるべく、前記画像データ表示画面にかかる情報である前記画像データ表示画面のＨＴＭＬデータを前記クライアント端末に送信することを特徴とする請求項１乃至４のいずれか１項に記載の情報処理装置。
【請求項６】
ユーザ情報の入力を受け付け、画像データを表示する画面であって複数のユーザ情報に対して閲覧が許可されている画像データ表示画面を表示するクライアント端末と通信可能であり、前記画像データ表示画面において表示する画像データを登録する画像データ登録手段と、前記画像データ登録手段で登録する前記画像データと当該画像データの閲覧を許可するユーザ情報とを対応付けて複数登録する登録手段とを備え、前記画像データ表示画面のテンプレートを記憶する情報処理装置の制御方法であって、
前記情報処理装置において、
前記画像データ登録手段で登録する前記画像データと当該画像データの閲覧を許可するユーザ情報とを対応付けて複数登録する登録ステップと、
前記クライアント端末より前記画像データ表示画面の要求を受け付ける要求受付ステップと、
前記要求受付ステップで受け付けた要求に応じて、前記テンプレートを用いた、前記登録ステップにより前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御ステップと
を含むことを特徴とする情報処理装置の制御方法。
【請求項７】
ユーザ情報の入力を受け付け、画像データを表示する画面であって複数のユーザ情報に対して閲覧が許可されている画像データ表示画面を表示するクライアント端末と通信可能であり、前記画像データ表示画面において表示する画像データを登録する画像データ登録手段を備え、前記画像データ表示画面のテンプレートを記憶する情報処理装置を制御するプログラムであって、
前記情報処理装置を、
前記画像データ登録手段で登録する前記画像データと当該画像データの閲覧を許可するユーザ情報とを対応付けて複数登録する登録手段と、
前記クライアント端末より前記画像データ表示画面の要求を受け付ける要求受付手段と、
前記要求受付手段で受け付けた要求に応じて、前記テンプレートを用いた、前記登録手段により前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御手段として機能させることを特徴とするコンピュータで読み取り実行可能なプログラム。
【請求項８】
ユーザ情報の入力を受け付けるクライアント端末と、画像データを表示する画面であって複数のユーザ情報に対して閲覧が許可されている画像データ表示画面のテンプレートを記憶する情報処理装置とを含む情報処理システムであって、
前記情報処理装置は、
前記画像データ表示画面において表示する画像データを登録する画像データ登録手段と、
前記画像データ登録手段で登録する前記画像データと当該画像データの閲覧を許可するユーザ情報とを対応付けて複数登録する登録手段と、
前記クライアント端末より前記画像データ表示画面の要求を受け付ける要求受付手段と、
前記要求受付手段で受け付けた要求に応じて、前記テンプレートを用いた、前記登録手段により前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御手段と
を備え、
前記クライアント端末は、
前記情報処理装置に対して前記画像データ表示画面を要求する要求手段と、
前記表示制御手段による制御に応じて、前記画像データ表示画面を表示部に表示する表示手段と
を備えることを特徴とする情報処理システム。
【請求項９】
ユーザ情報の入力を受け付けるクライアント端末と、画像データを表示する画面であって複数のユーザ情報に対して閲覧が許可されている画像データ表示画面において表示する画像データを登録する画像データ登録手段を備え、前記画像データ表示画面のテンプレートを記憶する情報処理装置とを含む情報処理システムの制御方法であって、
前記情報処理装置において、
前記画像データ登録手段で登録する前記画像データと当該画像データの閲覧を許可するユーザ情報とを対応付けて複数登録する登録ステップと、
前記クライアント端末より前記画像データ表示画面の要求を受け付ける要求受付ステップと、
前記要求受付ステップで受け付けた要求に応じて、前記テンプレートを用いた、前記登録ステップにより前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御ステップと
を含み、
前記クライアント端末において、
前記情報処理装置に対して前記画像データ表示画面を要求する要求ステップと、
前記表示制御ステップによる制御に応じて、前記画像データ表示画面を表示部に表示する表示ステップと
を含むことを特徴とする情報処理システムの制御方法。
【請求項１０】
ユーザ情報の入力を受け付けるクライアント端末と、画像データを表示する画面であって複数のユーザ情報に対して閲覧が許可されている画像データ表示画面において表示する画像データを登録する画像データ登録手段を備え、前記画像データ表示画面のテンプレートを記憶する情報処理装置とを含む情報処理システムを制御するプログラムであって、
前記情報処理装置を、
前記画像データ登録手段で登録する前記画像データと当該画像データの閲覧を許可するユーザ情報とを対応付けて複数登録する登録手段と、
前記クライアント端末より前記画像データ表示画面の要求を受け付ける要求受付手段と、
前記要求受付手段で受け付けた要求に応じて、前記テンプレートを用いた、前記登録手段により前記クライアント端末で入力を受け付けたユーザ情報と対応付けて登録されている、当該ユーザ情報に対して閲覧が許可されている画像データを含む画像データ表示画面を前記クライアント端末において表示させるべく制御する表示制御手段として機能させ、
前記クライアント端末を、
前記情報処理装置に対して前記画像データ表示画面を要求する要求手段と、
前記表示制御手段による制御に応じて、前記画像データ表示画面を表示部に表示する表示手段として機能させることを特徴とするコンピュータで読み取り実行可能なプログラム。